(57)【特許請求の範囲】
【請求項１】
基材と、
前記基材の一方の面に、硬貨を構成する金属より硬度が大きい材料を含み、パターン状に形成された情報表現層と、
前記情報表現層を覆うようにして形成された応力発光材料を含む応力発光層と、
を有することを特徴とするスクラッチシート。
【請求項２】
前記情報表現層と前記応力発光層は同色であることを特徴とする請求項１に記載のスクラッチシート。
【発明の詳細な説明】
【技術分野】
【０００１】
本発明は、所定の領域を擦ることにより、隠蔽されていた情報を視認可能とするスクラッチシートに関する。
【背景技術】
【０００２】
従来、隠したい情報の上に隠蔽層を形成し、この隠蔽層をコイン等でスクラッチする（引っ掻く、擦る）ことにより、隠されていた情報を視認可能にするスクラッチ構造を有するシートが用いられている。このようなスクラッチ構造を有するシートは、くじ、抽選券等、情報を隠蔽しておく必要のある媒体に利用されている。出願人も、スクラッチ構造を有するシート（スクラッチシート）として、様々な形態のものを提案している（特許文献１、２参照）。
【先行技術文献】
【特許文献】
【０００３】
【特許文献１】特開２０１３−２２８５３号公報
【特許文献２】特開２０１３−９１２３３号公報
【発明の概要】
【発明が解決しようとする課題】
【０００４】
スクラッチシートは、上述のように、くじ、抽選券等に用いられることが多く、エンタテイメント性が要求されるものである。しかしながら、従来のスクラッチシートでは、隠蔽層を擦ることにより隠された情報を表出させるだけであった。
【０００５】
そこで、本発明は、所定の領域を擦ることにより、隠された情報を知ることができるだけでなく、得られる情報に特別な表現を与えることが可能なスクラッチシートを提供することを課題とする。
【課題を解決するための手段】
【０００６】
上記課題を解決するため、本発明第１の態様では、
基材と、
前記基材の一方の面に、硬貨を構成する金属より硬度が大きい材料を含み、パターン状に形成された情報表現層と、
前記情報表現層を覆うようにして形成された応力発光材料を含む応力発光層と、
を有することを特徴とするスクラッチシートを提供する。
【０００７】
本発明第１の態様によれば、基材の一方の面に、硬貨を構成する金属より硬度が大きい材料を含み、パターン状に形成された情報表現層と、情報表現層を覆うようにして形成された応力発光材料を含む応力発光層を有するので、情報表現層が形成された領域を擦ることにより、隠された情報を知ることができるだけでなく、得られる情報に特別な表現を与えることが可能となる。
【０００８】
また、本発明第２の態様では、前記情報表現層と前記応力発光層は同色であることを特徴とする。
【０００９】
本発明第２の態様によれば、情報表現層と応力発光層が同色であるので、応力発光層が比較的明るい色であっても、情報表現層に応力発光層を重ねるだけで、情報表現層が表現する情報を隠蔽することが可能となる。
【発明の効果】
【００１０】
本発明によれば、所定の領域を擦ることにより、隠された情報を知ることができるだけでなく、得られる情報に特別な表現を与えることが可能となる。
【図面の簡単な説明】
【００１１】
【図１】本発明の一実施形態に係るスクラッチシートを示す図である。
【図２】スクラッチシートの応力発光層形成前の状態を示す図である。
【図３】硬貨により擦られた後の状態におけるスクラッチシートを示す図である。
【発明を実施するための形態】
【００１２】
以下、本発明の好適な実施形態について、図面を参照して詳細に説明する。
＜１．スクラッチシートの構成＞
図１は、本発明の一実施形態に係るスクラッチシートを示す図である。図１（ａ）は平面図であり、図１（ｂ）は、図１（ａ）のＡ−Ａ線に対応する断面図である。図１において、１は基材、２は情報表現層、３は応力発光層、１０はスクラッチシートである。基材１は、情報表現層２および応力発光層３を支持する支持体としての役割を果たすものであり、カードや印刷物等、目的・用途に応じた厚さ・サイズのものが用いられる。基材１の一方の面、または両面には、別途印刷インキにより所定の情報が印刷された印刷層が形成されていてもよい。
【００１３】
情報表現層２は、文字、図柄等がパターン状に形成されることにより情報を表現した層である。この情報表現層２は、その上に重ねて形成された応力発光層３により隠蔽される。情報表現層２は、高硬度材料を含む層である。高硬度材料としては、応力発光層３を擦って削り取るために用いる硬貨（コイン）を構成する金属より、硬度が大きいものを用いる。
【００１４】
応力発光層３は、情報表現層２により表現された情報を隠すための層であり、情報表現層２を覆うようにして形成されている。応力発光層３を削る際に、光を発することができるように、応力発光層３には、応力発光材料が含まれている。
【００１５】
図２は、本実施形態に係るスクラッチシートの応力発光層３の形成前の状態を示す図である。図２（ａ）は平面図であり、図２（ｂ）は、図２（ａ）のＢ−Ｂ線に対応する断面図である。本実施形態では、基材１として白い紙を用い、基材１と同色の白いインキを印刷することにより情報表現層２を形成している。このため、表面から見ると、情報表現層２を視認することが難しくなっている。図２の例では、情報表現層２が表現する文字「ＡＢＣ」の輪郭を破線で示している。図２に示した状態の後、応力発光層３を形成することにより、図１に示したようなスクラッチシート１０が得られる。図１（ｂ）の断面図は、スクラッチシート１０の層構成を示すものであるため、現実とは厚さの比が異なっている。現実には、スクラッチシートの幅が数十ｍｍ〜数百ｍｍであるのに対して、スクラッチシートの厚さは、数百μｍ程度である。
【００１６】
基材１としては、例えば、上質紙、アート紙、コート紙、キャストコート紙、合成樹脂又はエマルジョン含浸紙、合成ゴムラテックス含浸紙、合成樹脂内添紙、セルロース繊維紙等の紙類、ポリオレフィン（ポリエチレン、ポリプロピレンなど）、ポリスチレン、ポリカーボネート、ポリエチレンテレフタレート、ポリ塩化ビニル、ポリメタクリレート等の各種合成樹脂のプラスチックシート、また、これらの合成樹脂に白色顔料や充填剤を加えて成膜した白色不透明フィルム、あるいは基材内部に微細空隙（ミクロボイド）を有するフィルム（いわゆる合成紙）を使用することができる。基材１の厚さについては、特に限定はないが、３〜３００μｍが好ましく、２０〜１７５μｍであることがより好ましい。
【００１７】
基材１の色についても、特に限定はないが、コインで擦る（スクラッチ）前の状態では、情報表現層２による表現を認識できないように、情報表現層２と類似の色であることが好ましい。可能であれば、基材１と情報表現層２は、単に類似の色ではなく、同色であることがより好ましい。同色とは、完全に同一の色でなくても、太陽光や通常の照明光の下で、２つの色を区別して視認するのが困難な程度の同一性で足りる。例えば、PCCS（日本色研配色体系：Practical Color Co-ordinate System）の２４色相の色相環において、ある色相に着目したときに隣接する色相との中間の色までを同色とすることができる。
【００１８】
情報表現層２は、上述のように、高硬度材料を含む層である。情報表現層２に含まれる高硬度材料としては、応力発光層３を擦って削り取るために用いる硬貨（コイン）よりも高い硬度のものを用いる必要がある。硬貨を構成する金属より硬度が同等かまたはそれより硬度が大きい材料を含むインキ組成物による情報表現層２について説明する。
【００１９】
まず、上記の硬貨を構成する金属より硬度が同等またはそれよりも硬度が大きい材料としては、例えば、モ−ス（Ｍｏｓｅ）硬度６．０〜７．０のルチル型酸化チタン、モ−ス（Ｍｏｓｅ）硬度５．５〜６．０のアナタ−ゼ型酸化チタン、モ−ス（Ｍｏｓｅ）硬度９．０の酸化アルミニウム（アルミナ）、モ−ス（Ｍｏｓｅ）硬度７．０の酸化珪素、モ−ス（Ｍｏｓｅ）硬度９．０の酸化クロム、その他等の１種ないし２種以上を使用することができる。ちなみに、硬貨を構成する金属として一般に用いられている金属の硬度としては、例えば、鉄は、モ−ス（Ｍｏｓｅ）硬度４．５、黄銅（Ｃｕ−Ｚｎ）は、モ−ス（Ｍｏｓｅ）硬度３．０〜４．０、銅は、モ−ス（Ｍｏｓｅ）硬度３．０、アルミニウムは、モ−ス（Ｍｏｓｅ）硬度２．９、亜鉛は、モ−ス（Ｍｏｓｅ）硬度２．５、鉛は、モ−ス（Ｍｏｓｅ）硬度１．５程度である。
【００２０】
情報表現層２における、硬貨を構成する金属より硬度が同等またはそれよりも硬度が大きい材料を含むインキ組成物としては、例えば、樹脂の１種ないしそれ以上を使用し、それをビヒクルの主成分とする。そして、これに、上記の硬貨を構成する金属より硬度が同等、またはそれよりも硬度が大きい材料の１種ないし２種以上を添加する。更に必要ならば、可塑剤、安定剤、酸化防止剤、光安定剤、紫外線吸収剤、硬化剤、架橋剤、滑剤、帯電防止剤、充填剤、スリップ剤、その他等の添加剤の１種ないし２種以上を任意に添加し、更にまた、要すれば、染料・顔料等の着色剤を添加し、溶媒、希釈剤等で充分に混練し、調製してインキ組成物を製造することができる。
【００２１】
上記のインキ組成物において、硬貨を構成する金属より硬度が同等またはそれよりも硬度が大きい材料の含有量としては、０．１〜６０質量％、好ましくは、１０〜５０質量％が望ましいものである。本発明においては、上記で製造したインキ組成物を使用し、基材１の一方の面に、例えば、グラビア印刷方式、オフセット印刷方式、凸版印刷方式、フレキソ印刷方式、シルクスクリ−ン印刷方式、転写印刷方式、その他等の印刷方式により印刷して、文字、図形、記号、絵柄、その他等により情報を表現した情報表現層２を形成するものである。
【００２２】
応力発光層３は、応力により発光する粒子（応力発光粒子）を含んでいる。応力発光層３は適当な印刷方法により形成することができ、具体的にはオフセット印刷方式、フレキソ印刷方式、グラビア印刷方式、スクリーン印刷方式等で行うことができる。応力発光層３の発光量を増やす点からは応力発光層３の塗布量を増やす必要があるため、フレキソ印刷方式、グラビア印刷方式、スクリーン印刷方式が特に好ましい。応力発光層３の厚さとしては、硬貨により擦った際に、応力発光層３にかかる外力により応力発光層３に含まれる応力発光材料を任意の色に発光させるために、１０〜５０μｍ程度が好ましい。
【００２３】
応力発光層３としては、応力発光粒子を各種印刷方式に適したインキに調整したものを使用することができ、応力発光粒子としては、例えば、特開２０００−６３８２４号公報に記載されたＦｅＳ2構造の酸化物、硫化物、炭化物および窒化物の１種類以上からなる母体材料に、機械的エネルギーによって励起された電子が基底状態に戻る場合に、発光する希土類または遷移金属の１種類以上の発光中心を添加した応力発光材料や、特開２０００−１１９６４７号公報に記載された（Ａ）スピネル構造のＭｇＡｌ2Ｏ4及びＣａＡｌ2Ｏ4、コランダム構造のＡｌ2Ｏ3、及びβ‐アルミナ構造のＳｒＭｇＡｌ10Ｏ17の中から選ばれた少なくとも１種の金属酸化物又は複合酸化物の母体結晶中に、（Ｂ）不安定な３ｄ、４ｄ、５ｄ又は４ｆ電子殻を有し、この電子殻内で輻射転移を生起しうる希土類金属イオン及び遷移金属イオンの中から選ばれた少なくとも１種の金属イオンを発光中心の中心イオンとして含む物質からなる応力発光材料が挙げられる。
【００２４】
また、応力発光粒子として、特開２００１−４９２５１号公報に記載された非化学量論的組成を有するアルミン酸塩の少なくとも１種からなり、かつ機械的エネルギーによって励起されたキャリアーが基底状態に戻る際に発光する格子欠陥をもつ物質、又はこの母体物質中に希土類金属イオン及び遷移金属イオンの中から選ばれた少なくとも１種の金属イオンを発光中心の中心イオンとして含む物質からなる応力発光材料や、特開２００１−６４６３８号公報に記載されたメリライト型構造のＣａＹＡｌ3Ｏ7、Ｃａ2Ａｌ2ＳｉＯ7、Ｃａ2（Ｍｇ，Ｆｅ）Ｓｉ2Ｏ7、Ｃａ2Ｂ2ＳｉＯ7、ＣａＮａＡｌＳｉ2Ｏ7、Ｃａ2ＭｇＳｉ2Ｏ7、（Ｃａ，Ｎａ）2（Ａｌ，Ｍｇ）（Ｓｉ，Ａｌ）2Ｏ7、およびＣａ2（Ｍｇ，Ａｌ）（Ａｌ，Ｓｉ）ＳｉＯ7の酸化物のうちの１種類以上からなる母体材料に、機械的エネルギーによって励起された電子が基底状態に戻る場合に発光する希土類または遷移金属の１種類以上からなる発光中心を添加した応力発光材料等に開示されている材料を使用することができる。
【００２５】
上記の応力発光材料を、１〜１０μｍ程度の粒径に粉砕した粒子をビヒクル（樹脂成分）に分散させてインキにするための樹脂成分としては、適宜選択することができるが、応力発光層３を擦った際に応力発光層３が破壊されやすくするために、ＵＶ硬化型のアクリル樹脂等の硬化された樹脂成分を用いることが好ましい。
【００２６】
＜２．実施例＞
基材１として、１２７．９ｇ／ｍ2の三菱製紙株式会社製のマットコート紙「ニューＶマット」を使用した。
まず、通常のオフセットインキを用いて、オフセット印刷方式により、上記基材１上に、所定のメッセージ（図１（ａ）の例では、「スクラッチシート」「コインで削って下さい」等）、その他必要な絵柄等の印刷を行った。
そして、ＳＩＣＰＡ製の印刷インキ「ＣＯＩＮ−ＲＥＡＣＴＩＶＥ ＩＮＫ」を用いて、オフセット印刷方式により、上記基材１上に、厚さ１μｍになるように印刷を行った。この結果、所定の情報を表現した情報表現層２が得られた。
この時点でのスクラッチシートは、図２に示したような状態となる。
さらに、情報表現層２を覆うように、応力発光粒子を含む白色インキを、スクリーン印刷方式により印刷した。この結果、情報表現層２に重なる応力発光層３が形成された。
これにより、図１に示したようなスクラッチシートが完成する。
応力発光層３は、白色であり、光を透過し易い色ではあるが、情報表現層２も同じ白色であるため、応力発光層３を通して、情報表現層２に表現された情報を視認することは困難であった。
【００２７】
＜３．使用例＞
図１に示したスクラッチシート１０では、応力発光層３が情報表現層２を覆って形成されている。そのため、図１（ａ）に示すように、情報表現層２を視認することはできない。本実施形態のように、応力発光層３が白色であっても、情報表現層２も白色で同一であるため、スクラッチシート表面からの視認は困難である。また、本実施形態では、基材１も白色であるため、応力発光層３の存在も確認することが難しい。そのため、図１の例では、「コインで削って下さい」というメッセージが、応力発光層３の存在位置を示す矢印とともに印刷されている。
【００２８】
図１に示したスクラッチシート１０において、メッセージに従い、応力発光層３を硬貨で擦ると、応力発光層３の擦られた部分が、その摩擦力によって発光する。これにより、スクラッチシートにおける発光という従来にはない趣きある表現が得られ、スクラッチシートのエンタテイメント性が高まる。そして、応力発光層３が削られて、硬貨と情報表現層２が直接擦り合うようになると、硬貨よりも高い硬度の高硬度材料を含む情報表現層２により、硬貨が削られる。そして、削られた硬貨から出る金属粉は、情報表現層２に積層される。応力発光層３は、硬貨より高い硬度の高硬度材料を含んでいないため、応力発光層３の上においては、硬貨は削られない。
【００２９】
この結果、スクラッチシート１０は、図３に示すような状態となる。図３は、硬貨により擦られた後の状態におけるスクラッチシートを示す図である。すなわち、図３（ｂ）に示すように、情報表現層２の上に金属粉４が積層された状態となる。これにより、スクラッチシート１０の表面から見た場合は、図３（ａ）に示すように、情報表現層２が表現する文字「ＡＢＣ」を視認することが可能となる。図３（ｂ）の例では、応力発光層３が完全に削り取られた状態を示しているが、実際には、削り取られずに、応力発光層３が残る部分が存在する場合もある。しかし、硬貨と情報表現層２が直接擦り合うことができる程度に、応力発光層３を削り取ることができれば十分に目的は達成される。
【００３０】
以上、本発明の好適な実施形態について説明したが、本発明は上記実施形態に限定されず、種々の変形が可能である。例えば、上記実施形態においては、基材１、情報表現層２、応力発光層３を全て白色で同色としたが、他の色で同色としてもよいし、いずれか２つが白色あるいは他の色で同色であってもよいし、全て異なる色であってもよい。できれば、情報表現層２と応力発光層３は同色であることが好ましい。情報表現層の前後で、通常のオフセットインキを用いて、オフセット印刷方式により、カモフラージュパターンを印刷してもよい。
【符号の説明】
【００３１】
１・・・基材
２・・・情報表現層
３・・・応力発光層
４・・・金属粉
１０・・・スクラッチシート
【図１】
0006544190.tif 000002
【図２】
0006544190.tif 000003
【図３】
0006544190.tif 000004